(57)【要約】      （修正有）【課題】河川等水路の取水口に設置されて、水路中の塵芥の除塵のために用いられる除塵機について、モータを小型化可能な除塵機を提供する。【解決手段】水路に配置されて水路に流れる塵芥の捕捉に用いられるスクリーン１０と、スクリーンに摺動することによってスクリーンで捕捉された塵芥の掻き揚げが行われる掻き板部２０とを有し、掻き板部は軟質材料で形成されているものであり、掻き板部は旋回部２１に取り付けられており、旋回部は掻き板部を移動させるもので、旋回部に対する掻き板部の取り付け位置は、スクリーンへの出没方向で変更自在である。【選択図】図１
0003226262.tif 000002
【実用新案登録請求の範囲】
【請求項１】
水路に配置されて水路に流れる塵芥の捕捉に用いられるスクリーンと、前記スクリーンに摺動することによってスクリーンで捕捉された塵芥の掻き揚げが行われる掻き板部とを有し、前記掻き板部は軟質材料で形成されているものであり、前記掻き板部は旋回部に取り付けられており、旋回部は掻き板部を移動させるもので、旋回部に対する掻き板部の取り付け位置は、前記スクリーンへの出没方向で変更自在であることを特徴とする除塵機。
【考案の詳細な説明】
【技術分野】
【０００１】
本考案は、河川等水路の取水口に設置されて、水路中の塵芥の除塵のために用いられる除塵機に関する。
【背景技術】
【０００２】
一般に、河川等水路の取水口においては、水路中の塵芥（落ち葉やゴミ等）の流入を防ぐための除塵機が設置されている。
【０００３】
従来、除塵機として、特許文献１に記載される発明のように、水路に対して捕捉ネットが傾斜して形成され、外側に複数のレーキが取付けられ、捕捉ネットで捕捉された塵芥がレーキによって掻き揚げられる除塵装置が知られている。
【先行技術文献】
【特許文献】
【０００４】
【特許文献１】特開２００１−４９６４２号公報
【考案の概要】
【考案が解決しようとする課題】
【０００５】
しかし、従来の除塵装置における、掻き揚げに用いられる部材は金属等の硬質材料で形成されており、掻き揚げに用いられる部材が重く、加えて、捕捉ネットに対する摺動抵抗も大きいために、掻き揚げに用いられる部材を摺動させるためのモータ、すなわち、除塵機を駆動させるモータに負荷がかかり、また、モータを大型化せざるを得なかった。
【０００６】
本考案は上記実情を考慮して創作されたものであり、その解決しようとする課題は、除塵機を駆動させるモータを小型化可能な除塵機を提供することである。
【課題を解決するための手段】
【０００７】
本考案は、水路に配置されて水路に流れる塵芥の捕捉に用いられるスクリーンと、前記スクリーンに摺動することによってスクリーンで捕捉された塵芥の掻き揚げが行われる掻き板部とを有し、前記掻き板部は軟質材料で形成されているものであり、前記掻き板部は旋回部に取り付けられており、旋回部は掻き板部を移動させるもので、旋回部に対する掻き板部の取り付け位置は、前記スクリーンへの出没方向で変更自在であることを特徴とする。
【考案の効果】
【０００８】
本考案によると、掻き板部を軽量化できると共に、掻き板部のスクリーンに対する摺動抵抗を小さくでき、掻き板部を摺動させるために要する力が少なく済むので、除塵機を駆動させるモータへの負荷を低減できる。また、これによりモータを小型化でき、除塵機自体への負荷も低減できるため、躯体の部品に軽量なものを使用することができ、除塵機自体の軽量化や小型化が可能である。さらに、掻き板部の取り付け位置が、スクリーンへの出没方向で調節自在なので、掻き板部がスクリーンに押し付けられる力が調整自在となり、例えば、掻き揚げられにくい塵芥がスクリーンに捕捉されることが多い除塵機においては、スクリーンに突出方向に掻き板部が位置することで、掻き板部はよりスクリーンに押し付けられるので、より確実な塵芥の掻き揚げができる。一方、掻き板部がスクリーンに押し付けられなくとも容易に掻き揚げられる塵芥がスクリーンに捕捉される除塵機においては、スクリーンに没入方向に掻き板部が位置することで、掻き板部がスクリーンに押し付けられる力は弱められ、掻き板部のスクリーンに対する摺動抵抗は小さくなるので、除塵機を駆動させるモータへの負荷をより低減することができる。
【図面の簡単な説明】
【０００９】
【図１】本考案の側断面図である。
【図２】本考案の実施の形態を説明する側断面概略図である。
【図３】本考案の旋回部と掻き板部の側断面図である。
【考案を実施するための形態】
【００１０】
以下、本考案の実施の形態を図面に基づいて説明する。図１は本考案の一実施例における側断面図であり、除塵機１のうち、上部は陸地に、下部は水路中にそれぞれ位置する。除塵機１の上部は陸地に固定される。除塵機１の下部は水路中に固定され、除塵機１は、下部において、水路の水の流れを遮るように配置されて、水路中に流れる塵芥Ｔの捕捉に用いられるスクリーン１０と、スクリーン１０への摺動によって、スクリーン１０で捕捉された塵芥の掻き揚げが行われる掻き板部２０とを有する。
【００１１】
スクリーン１０は、水路に流れる水に対しては通過させ、一方で、水路に流れる塵芥Ｔは捕捉可能なように、金属材料によって格子状に形成されている。スクリーン１０の高さは、図１に示される通り、水路の高さよりも大きく、スクリーン１０の上部は水面から出ている。スクリーン１０は水路の水の流れに対して傾斜している。
【００１２】
掻き板部２０は、軟質材料からなり、図１に示される通り、スクリーン１０に対して略垂直の板状の形状をなし、スクリーン１０の下部から上部に向かって摺動して、スクリーン１０に捕捉された塵芥Ｔを掻き揚げる。そして、掻き揚げられた塵芥Ｔは、スクリーン１０の上端から落下し、落下先に設けられた集積部１００に集められる。
【００１３】
掻き板部２０の摺動は、掻き板部２０が取り付けられている旋回部２１が、図２に示されるような、軌跡Ｓに沿って移動することで行われる。軌跡Ｓは、図２に示される通り、除塵機１の上下に亘っており、旋回部２１を回動せしめる軌跡であり、旋回部２１は、スクリーン１０の下部から上部に向かって上方に摺動し、掻き揚げた塵芥Ｔを集積部１００に落下させた後、除塵機１の上部の回転軸部２００で方向転換し、下方に移動する。そして、下方に移動した旋回部２１は、除塵機１の下部の回転軸部３００で方向転換し、上方に移動し、再度スクリーン１０の下部から上部に向かって上方に摺動する。
【００１４】
旋回部２１は、軌跡Ｓに沿って設けられて、モータで回転駆動されるチェーン４００（図示しない）によって移動される。チェーン４００に旋回部２１が所定の間隔で複数設けられ、チェーン４００が除塵機１のモータで回転駆動されることで、旋回部２１は軌跡Ｓに沿って移動する。
【００１５】
また、掻き板部２０は、旋回部２１に取り付けられる位置が、図３に示される通り、スクリーン１０に出没方向で調節自在であり、掻き板部２０は、図３（ａ）に示される通り、旋回部２１に対し、旋回部２１の基部２２を介して取り付けられている。掻き板部２０の上面において、ネジ２２ａが略垂直に基部２２に対してネジ止めされて、掻き板部２０は基部２２に固定される。掻き板部２０の上面のうち、ネジ２２ａがネジ止めされる位置は、掻き板部２０のスクリーン１０に対する出没方向で変更可能で、図３（ｂ）に示される通り、掻き板部２０がスクリーン１０に突出方向で、掻き板部２０が基部２２にネジ止めされると、掻き板部２０はスクリーン１０により押し付けられながら摺動する。一方、図３（ｃ）に示される通り、掻き板部２０がスクリーン１０に没入方向で、掻き板部２０が基部２２にネジ止めされると、掻き板部２０はスクリーン１０にあまり押し付けられずに摺動する。
【００１６】
このように構成した除塵機１によれば、掻き板部２０が軟質材料なので、軽量化でき、よって掻き板部２０が取り付けられた旋回部２１が軽量化できると共に、掻き板部２０のスクリーン１０に対する摺動抵抗を小さくできるので、旋回部２１を移動させるチェーン４００を回転駆動させるモータ、すなわち除塵機１を駆動させるモータの負荷を低減できる。また、これによりモータを小型化でき、除塵機１自体への負荷も低減できるので、躯体の部品に軽量なものを使用することができ、除塵機１自体の軽量化や小型化が可能である。さらに、掻き板部２０がスクリーン１０に押し付けられる力を調整できるので、例えば、掻き揚げられにくい塵芥Ｔがスクリーンに捕捉されることの多い除塵機１においては、スクリーン１０に突出方向に掻き板部２０が位置することで、掻き板部２０はよりスクリーン１０に押し付けられて、より確実な塵芥Ｔの掻き揚げを実現できる。一方、掻き板部２０がスクリーン１０に押し付けられなくとも容易に掻き揚げられる塵芥Ｔがスクリーン１０に捕捉される除塵機１においては、スクリーン１０に没入方向に掻き板部２０が位置することで、掻き板部２０がスクリーン１０に押し付けられる力は弱められ、掻き板部２０のスクリーン１０に対する摺動抵抗は小さくなり、除塵機１を駆動させるモータへの負荷を低減させることができる。
【００１７】
本考案における掻き板部の軟質材料とは、例えばゴムである。本考案はこれらの実施形態に限定されない。例えば、スクリーンは簾状のものでもよい。
【符号の説明】
【００１８】
１                    除塵機
１０                  スクリーン
２０                  掻き板部
２１                  旋回部
２２                  基部
２２ａ                ネジ
Ｓ                    軌跡
Ｔ                    塵芥
【図１】
0003226262.tif 000003
【図２】
0003226262.tif 000004
【図３】
0003226262.tif 000005